【手続補正書】
【提出日】平成29年4月14日(2017.4.14)
【手続補正１】
【補正対象書類名】明細書
【補正対象項目名】０１５９
【補正方法】変更
【補正の内容】
【０１５９】
本開示の様々な修正形態及び変更形態が、当業者には、本開示の範囲及び趣旨から逸脱することなく明らかとなろう。また、理解されたいこととして、本開示は、本明細書に記載した例示的な実施形態に不当に限定されるものではない。本発明の実施態様の一部を以下の項目［１］−［４４］に記載する。
［項目１］
締結具を保護する方法であって、
ａ）締結具を設ける工程と、
ｂ）内部を画定するシールキャップを設ける工程であって、前記シールキャップは１．０ｋＶ／ｍｍ超の絶縁破壊強度を有する材料で構成され、かつ前記シールキャップは１．５ｍｍ未満の平均肉厚を有する、工程と、
ｃ）未硬化シーラントをシールキャップの内部に若しくは締結具に、又はそれらの両方に塗布する工程と、
ｄ）前記締結具の少なくとも一部分が前記シールキャップの前記内部に存在するように、前記シールキャップを前記締結具に被せて配置する工程と、を含む方法。
［項目２］
締結具を保護する方法であって、
ｆ）締結具を設ける工程と、
ｇ）内部を画定するシールキャップを設ける工程であって、前記シールキャップは１．０ｋＶ／ｍｍ超の絶縁破壊強度を有する材料で構成され、前記シールキャップは１．５ｍｍ未満の平均肉厚を有し、かつ前記シールキャップの前記内部は一定量の未硬化シーラントを収容する、工程と、
ｈ）前記締結具の少なくとも一部分が前記シールキャップの前記内部に存在するように、前記シールキャップを前記締結具に被せて配置する工程と、を含む方法。
［項目３］
ｊ）前記シーラントを硬化させる工程を更に含む、項目１又は２に記載の方法。
［項目４］
前記シールキャップは光学的に半透明であり、かつ前記シーラントを硬化させる前記工程は、前記シールキャップを通して化学線を前記シーラントに作用させることを含む、項目３に記載の方法。
［項目５］
前記シールキャップは、１５．０ｋＶ／ｍｍ超の絶縁破壊強度を有する材料で構成される、項目１〜４のいずれか一項に記載の方法。
［項目６］
前記シールキャップは、５０．０ｋＶ／ｍｍ超の絶縁破壊強度を有する材料で構成される、項目１〜５のいずれか一項に記載の方法。
［項目７］
前記シールキャップは０．５ｍｍ未満の平均肉厚を有する、項目１〜６のいずれか一項に記載の方法。
［項目８］
前記シールキャップは含フッ素熱可塑性ポリマーを含む、項目１〜７のいずれか一項に記載の方法。
［項目９］
前記シールキャップはＴＨＶポリマーを含む、項目１〜７のいずれか一項に記載の方法。
［項目１０］
前記シールキャップは含フッ素熱硬化性ポリマーを含む、項目１〜７のいずれか一項に記載の方法。
［項目１１］
前記シールキャップは熱可塑性エンジニアリングプラスチックを含む、項目１〜７のいずれか一項に記載の方法。
［項目１２］
前記シールキャップはＰＥＥＫポリマーを含む、項目１〜７のいずれか一項に記載の方法。
［項目１３］
前記シーラントはポリチオエーテルポリマーを含む、項目１〜１２のいずれか一項に記載の方法。
［項目１４］
ｑ）締結具と、
ｒ）内部を画定するシールキャップと、
ｓ）硬化シーラントと、を備える保護付き締結具構造であって、
前記シールキャップは１．０ｋＶ／ｍｍ超の絶縁破壊強度を有する材料で構成され、かつ前記シールキャップは１．５ｍｍ未満の平均肉厚を有し、
前記シールキャップは、前記締結具の少なくとも一部分が前記シールキャップの前記内部に存在するように、前記締結具に被せて配置され、
並びに前記シールキャップの前記内部は、前記シールキャップを前記締結具に結合する前記硬化シーラントを更に収容する、保護付き締結具構造。
［項目１５］
前記シールキャップは半透明である、項目１４に記載の保護付き締結具構造。
［項目１６］
前記シールキャップは視覚的に透明である、項目１４に記載の保護付き締結具構造。
［項目１７］
前記シールキャップは、１５．０ｋＶ／ｍｍ超の絶縁破壊強度を有する材料で構成される、項目１４〜１６のいずれか一項に記載の保護付き締結具構造。
［項目１８］
前記シールキャップは、５０．０ｋＶ／ｍｍ超の絶縁破壊強度を有する材料で構成される、項目１４〜１６のいずれか一項に記載の保護付き締結具構造。
［項目１９］
前記シールキャップは０．５ｍｍ未満の平均肉厚を有する、項目１４〜１８のいずれか一項に記載の保護付き締結具構造。
［項目２０］
前記シールキャップは含フッ素熱可塑性ポリマーを含む、項目１４〜１９のいずれか一項に記載の保護付き締結具構造。
［項目２１］
前記シールキャップはＴＨＶポリマーを含む、項目１４〜１９のいずれか一項に記載の保護付き締結具構造。
［項目２２］
前記シールキャップは含フッ素熱硬化性ポリマーを含む、項目１４〜１９のいずれか一項に記載の保護付き締結具構造。
［項目２３］
前記シールキャップは熱可塑性エンジニアリングプラスチックを含む、項目１４〜１９のいずれか一項に記載の保護付き締結具構造。
［項目２４］
ｖ）内部を画定するシールキャップと、
ｗ）一定量の未硬化シーラントと、を備える即時取り付け式シールキャップであって、
前記シールキャップは１．０ｋＶ／ｍｍ超の絶縁破壊強度を有する材料で構成され、かつ前記シールキャップは１．５ｍｍ未満の平均肉厚を有し、
並びに前記シールキャップの前記内部は前記一定量の未硬化シーラントを収容する、即時取付け式シールキャップ。
［項目２５］
前記シールキャップは半透明である、項目２４に記載の即時取付け式シールキャップ。
［項目２６］
前記シールキャップは光学的に透明である、項目２４に記載の即時取付け式シールキャップ。
［項目２７］
前記シールキャップは、１５．０ｋＶ／ｍｍ超の絶縁破壊強度を有する材料で構成される、項目２４〜２６のいずれか一項に記載の即時取付け式シールキャップ。
［項目２８］
前記シールキャップは、５０．０ｋＶ／ｍｍ超の絶縁破壊強度を有する材料で構成される、項目２４〜２６のいずれか一項に記載の即時取付け式シールキャップ。
［項目２９］
前記シールキャップは０．５ｍｍ未満の平均肉厚を有する、項目２４〜２８のいずれか一項に記載の即時取付け式シールキャップ。
［項目３０］
前記シールキャップは含フッ素熱可塑性ポリマーを含む、項目２４〜２９のいずれか一項に記載の即時取付け式シールキャップ。
［項目３１］
前記シールキャップはＴＨＶポリマーを含む、項目２４〜２９のいずれか一項に記載の即時取付け式シールキャップ。
［項目３２］
前記シールキャップは含フッ素熱硬化性ポリマーを含む、項目２４〜２９のいずれか一項に記載の即時取付け式シールキャップ。
［項目３３］
前記シールキャップは熱可塑性エンジニアリングプラスチックを含む、項目２４〜２９のいずれか一項に記載の即時取付け式シールキャップ。
［項目３４］
締結具の保護のためのシールキャップであって、１．０ｋＶ／ｍｍ超の絶縁破壊強度を有する材料で構成され、１．５ｍｍ未満の平均肉厚を有する、シールキャップ。
［項目３５］
半透明である、項目３４に記載のシールキャップ。
［項目３６］
光学的に透明である、項目３４に記載のシールキャップ。
［項目３７］
１５．０ｋＶ／ｍｍ超の絶縁破壊強度さを有する材料で構成される、項目３４〜３６のいずれか一項に記載のシールキャップ。
［項目３８］
５０．０ｋＶ／ｍｍ超の絶縁破壊強度を有する材料で構成される、項目３４〜３６のいずれか一項に記載のシールキャップ。
［項目３９］
０．５ｍｍ未満の平均肉厚を有する、項目３４〜３８のいずれか一項に記載のシールキャップ。
［項目４０］
含フッ素熱可塑性ポリマーを含む、項目３４〜３９のいずれか一項に記載のシールキャップ。
［項目４１］
ＴＨＶポリマーを含む、項目３４〜３９のいずれか一項に記載のシールキャップ。
［項目４２］
含フッ素熱硬化性ポリマーを含む、項目３４〜３９のいずれか一項に記載のシールキャップ。
［項目４３］
熱可塑性エンジニアリングプラスチックを含む、項目３４〜３９のいずれか一項に記載のシールキャップ。
［項目４４］
ＰＥＥＫポリマーを含む、項目３４〜３９のいずれか一項に記載のシールキャップ。
【手続補正２】
【補正対象書類名】特許請求の範囲
【補正対象項目名】全文
【補正方法】変更
【補正の内容】
【特許請求の範囲】
【請求項１】
締結具を保護する方法であって、
ａ）締結具を設ける工程と、
ｂ）内部を画定するシールキャップを設ける工程であって、前記シールキャップは１．０ｋＶ／ｍｍ超の絶縁破壊強度を有する材料で構成され、かつ前記シールキャップは１．５ｍｍ未満の平均肉厚を有する、工程と、
ｃ）未硬化シーラントをシールキャップの内部に若しくは締結具に、又はそれらの両方に塗布する工程と、
ｄ）前記締結具の少なくとも一部分が前記シールキャップの前記内部に存在するように、前記シールキャップを前記締結具に被せて配置する工程と、を含む方法。
【請求項２】
締結具を保護する方法であって、
ｆ）締結具を設ける工程と、
ｇ）内部を画定するシールキャップを設ける工程であって、前記シールキャップは１．０ｋＶ／ｍｍ超の絶縁破壊強度を有する材料で構成され、前記シールキャップは１．５ｍｍ未満の平均肉厚を有し、かつ前記シールキャップの前記内部は一定量の未硬化シーラントを収容する、工程と、
ｈ）前記締結具の少なくとも一部分が前記シールキャップの前記内部に存在するように、前記シールキャップを前記締結具に被せて配置する工程と、を含む方法。
【請求項３】
ｑ）締結具と、
ｒ）内部を画定するシールキャップと、
ｓ）硬化シーラントと、を備える保護付き締結具構造であって、
前記シールキャップは１．０ｋＶ／ｍｍ超の絶縁破壊強度を有する材料で構成され、かつ前記シールキャップは１．５ｍｍ未満の平均肉厚を有し、
前記シールキャップは、前記締結具の少なくとも一部分が前記シールキャップの前記内部に存在するように、前記締結具に被せて配置され、
並びに前記シールキャップの前記内部は、前記シールキャップを前記締結具に結合する前記硬化シーラントを更に収容する、保護付き締結具構造。
【請求項４】
ｖ）内部を画定するシールキャップと、
ｗ）一定量の未硬化シーラントと、を備える即時取り付け式シールキャップであって、
前記シールキャップは１．０ｋＶ／ｍｍ超の絶縁破壊強度を有する材料で構成され、かつ前記シールキャップは１．５ｍｍ未満の平均肉厚を有し、
並びに前記シールキャップの前記内部は前記一定量の未硬化シーラントを収容する、即時取付け式シールキャップ。
【請求項５】
締結具の保護のためのシールキャップであって、１．０ｋＶ／ｍｍ超の絶縁破壊強度を有する材料で構成され、１．５ｍｍ未満の平均肉厚を有する、シールキャップ。